Podtech/llm-jp-corpus-v4-ja_patent huggingface dataset:
(57)【要約】【課題】子供の作品をデジタル化し、劣化を防ぎながら長期間保管したいというニーズは高いが、静止画のままでは子供本人が喜ばず、保管したものの再度閲覧する機会が得られにくい。またホームページなどのパソコン環境では、家族が団欒で楽しむことが難しい。【解決手段】作品自体をデジタル化し、なおかつオリジナルのコミカルなストーリーを創作してアニメーションとすることで、その作品の作者である子供も交えて家族で楽しめるようになる。また、ＤＶＤとすることで、テレビなどのお茶の間環境で楽しめる。【選択図】    図１
2006024170.tif 000002
【特許請求の範囲】
【請求項１】
顧客から預かった子供の作品を、撮影、スキャニングなどの方法でデジタルデータ化。作品の内容に基づいてオリジナルのストーリーを構成、さらに動画編集を施してアニメーション化し、ＤＶＤに加工保管して提供する方法。顧客から預かった子供の作品を、撮影、スキャニングなどの方法でデジタルデータ化。作品の内容に基づいてオリジナルのストーリーを構成、さらに動画編集を施してアニメーション化し、ＤＶＤに加工保管して提供する方法。
【請求項２】
作品を創作した子供の写真やプロフィール、作品へのコメントを請求項１のＤＶＤによる加工で提供する方法作品を創作した子供の写真やプロフィール、作品へのコメントを請求項１のＤＶＤによる加工で提供する方法
【請求項３】
アニメーション化した以外の子供の作品も合わせてデジタル化し、請求項１のＤＶＤによる加工にて提供する方法アニメーション化した以外の子供の作品も合わせてデジタル化し、請求項１のＤＶＤによる加工にて提供する方法
【請求項４】
劣化や破損の心配のある子供の図画工作などの作品を、撮影・スキャニング、さらには動画加工を通じてデジタル化することで長期の高品質な保管が可能。さらには、ＤＶＤとすることで、いつでもテレビ画面等を通じて家族で子供の作品およびアニメーションを楽しめる仕組みの提供。劣化や破損の心配のある子供の図画工作などの作品を、撮影・スキャニング、さらには動画加工を通じてデジタル化することで長期の高品質な保管が可能。さらには、ＤＶＤとすることで、いつでもテレビ画面等を通じて家族で子供の作品およびアニメーションを楽しめる仕組みの提供。
【発明の詳細な説明】
【技術分野】
【０００１】本発明は、子供の図画工作などの作品をアニメーション化し、テレビなどの家庭用映像機器で鑑賞できるように編集加工するシステムに関する。
【背景技術】
【０００２】  従来、子供の図画工作などの作品を劣化せずに保管する方法としてはデジタルカメラなどで撮影し、パーソナルコンピュータの補助記憶装置に保管したり、またサーバーに保管した上で個人のホームページ上に公開するといった方法があり、これを代行するシステムとして子供の絵等の作品をインターネット上で加工して様々な形態で提供する特開２００３−２８１０３９号公報がある。これは、会員から送られてくる作品をデジタルデータに変換してサーバーに登録すると共に、インターネット上のホームページに公開し、会員には、与えられたパスワードによって前記ホームページの会員画面にアクセス可能とすると共に、その会員画面から登録作品の加工（記事入力、グリーティングカード作成、絵本化、リアル画集制作の注文等）を可能とすると共に、その加工作品の配信又は頒布を受け得るようにするといった提案もなされていた。【０００３】
【特許文献１】    特開２００３−２８１０３９号公報
【発明の開示】
【発明が解決しようとする課題】
【０００４】  しかしながら、パーソナルコンピュータでホームページを閲覧するという行為は、子供本人を含めて家族団欒で楽しむには適さない環境であり、また作品を絵本や画集などのリアルな印刷物に加工するとその段階から加工物の劣化がはじまり、子供の作品を長期間劣化せずに保管するという目的には一致しない。
【課題を解決するための手段】
【０００５】本発明では課題解決のため下記の手段を採用する。
【発明の効果】
【０００６】  以上説明したように本発明は、子供の作品を大切に長く保管したいという親の基本ニーズにこたえるとともに、自分の描いた絵や作った工作をアニメにしてテレビで見たい、という子供の夢をも同時にかなえるものである。またホームページのように、１人で閲覧する環境と異なり、茶の間で家族団欒を楽しむことができ、親子の親睦を深めることができる。
【発明を実施するための最良の形態】
【０００７】  以下、本発明を添付図面に示す実施形態例に基づき、更に詳細に説明する。図１は本発明に係るアニメーション化の手順図であり、図２はそのコンテンツの構成図である。図１に示すように、第１に子供の図画や工作などの作品を宅配便・郵便などの方法で受け取り、形態に合わせて撮影やスキャニングなどを行い、デジタルデータに変換。この際には作品自体に全く手を加えることなく、デジタル化が終了した段階で速やかに顧客に返却する。デジタル化した作品は、その内容に照合してひとつひとつオリジナルのストーリーを創作。基本的にはユーモアに富んだ陽気な家族で楽しめる内容とする。その構成したストーリーに基づいて、動画編集ソフトを用いてアニメーション化。ＤＶＤにプレスして、専用のデコレーションを施して、郵送などの方法で顧客に届ける。コンテンツ内容は図２に示すように、テレビでの映画ＤＶＤ鑑賞をイメージした構成。オリジナルのタイトルからスタートし、アニ絵ーション専用のアニメキャラクターが拍手で迎え、本編となるアニメーションが開始。終了と同時に劇場内場面に切り替わり、またキャラクターが拍手で喝采を送る。続いてエンディングとなるが、ここで創作者である子供のプロフィールや作品へのコメント、将来への夢などを語る。さらに、他の図画工作などの作品も収蔵し、子供画廊としても機能させる。
【図面の簡単な説明】
【０００８】
【図１】本発明におけるアニメーションＤＶＤの依頼、制作、鑑賞の流れを示している
【図２】本発明におけるアニメーションの構成内容を鑑賞順に示している
【図１】
2006024170.tif 000003
【図２】
2006024170.tif 000004
(57)【要約】【課題】  現在の自動販売機（券売機含む）は、受注業務の簡素化、販売拡大にだけ利用されている。【解決手段】  自動販売機（券売機含む）にポイントカード等の磁気カード（プリペイドカードやクレジットカード類は除く）が利用できる機能（カード発券・挿入）を付することにより、購買者の継続的購買意欲を掻き立て、集客力の強化、顧客の購買履歴や各店舗の売上・利益管理などのマーケット分析や経営戦略強化、さらには従業員の勤務時間や原材料等仕入れ価格その他会計必要項目を入力、管理することで損益計算書や貸借対照表作成、納税書類作成を容易にすることができる。【選択図】  図１
2006024164.tif 000002
【特許請求の範囲】
【請求項１】
ポイントカード等の磁気カード（プリペイドカードやクレジットカード類は除く）の利用により、購買者の継続的購買意欲を高め、集客力の強化を図る。また、データを管理することで顧客の購買履歴や各店舖の売上・利益管理などのマーケット分析や経営戦略強化、さらには従業員の勤務時間や原材料等仕入れ価格その他会計必要項目を入力、管理することで損益計算書や貸借対照表作成、納税資料作成を容易にする自動販売機（券売機含む）。
【発明の詳細な説明】
【技術分野】
【０００１】  本発明は、顧客の購買意欲増進、マーケット分析や経営戦略強化、事務機能の簡素化を図った自動販売機（券売機含む）に関するものである。
【技術背景】
【０００２】  従来の自動販売機（券売機含む）は、販売拠点の拡大、多台数設置による商品の拡販、業務の効率化を主な目的にしている。
最近では自動販売機（券売機含む）で、くじやルーレット機能を搭載することで購買意欲を高めようとしているものや携帯電話によってクレジット機能が利用できるようにしているものもある。
またレジスターではポイントカードや携帯電話を利用できるものもある。
【特許文献１】  特開平９−７０４６
【特許文献２】  特開２００２−２５９８５７
【特許文献３】  特開２０００−２９３７５８
【発明の開示】
【発明が解決しようとする課題】
【０００３】  以上に述べた従来の自動販売機（券売機含む）は、購買者にとって便利な機械に過ぎず、継続的に購買する意欲を高めるものではなかった。
また販売者にとっても売上管理はできても、顧客を特定できず購買履歴をマーケット分析に利用することができなかった。
さらにクレジットカードや携帯電話などでクレジット機能が利用できる自動販売機（券売機含む）は、携帯電話の利便性を悪用した犯罪、事件が多発しており、現段階では利用に危険が伴う可能性があり、顧客の利用の阻害要因となっている。
【課題を解決するための手段】
【０００４】  自動販売機（券売機含む）にポイントカード等の磁気カード（プリペイドカードやクレジットカード類は除く）が利用できる機能（カード発券・挿入）を付ける。
自動販売機（券売機含む）の外部に取り付けられたコンピュータ（サーバー含む）により購買商品、購買時間、購買価額、ポイント等が記録、蓄積される。
さらにポイントカードに個別認識番号を付けることにより、購買履歴の記録、管理をする。
また外部に取り付けられたコンピュータの記録、管理をするソフトウェアに会計必要データ（仕入原価や人件費など）を入力できるように設計しておく。
【発明の効果】
【０００５】  販売者にとっては集客力の強化、顧客の購買履歴や各店舗の売上・利益管理などのマーケット分析や経営戦略強化を容易にすることができる。
また、購買者にとってはポイント加点等による特典により、継続的購入を促される。よって、販売者、購買者双方にメリットとなる。
【産業上の利用可能性】
【０００６】  そば、うどん、ラーメン店などの券売機や街角の清涼飲料水、アルコール類の自動販売機に利用することにより、集客、マーケット分析、経営戦略から納税書類作成まで簡素化でき、特に個人事業、中小規模の企業にとって競争力を高めるものとなる。
【図面の簡単な説明】
【０００７】
【図１】  ポイントカード等の磁気カード（プリペイドカードやクレジットカード類は除く）が利用できる機能（カード発券・挿入）を付ける。  店舗内のコンピュータ端末や勤務表打刻機、カードリーダとの接続により、外部からの経営データ入力を容易にすることができる。さらにサーバーをＬＡＮ接続することで多台数を統合・管理が可能になる。
【図２】  図１のポイントカード挿入口、ポイントカード発券確認釦の拡大図。  購買者が既にポイントカード等の磁気カード（プリペイドカードやクレジットカード類は除く）の所持している場合、カード挿入口にカードを挿入した後、購買する。  またカードを所持していない場合、新規でカードを発行したい購買者は「発行する」、今後利用するつもりのない購買者は「発券しない」それぞれの釦を選び、購買する。
【符号の説明】
【０００８】１  ポイントカード挿入口
２  ポイントカード発券確認釦
３  紙幣挿入口
４  商品押釦
５  つり銭口
【図１】
2006024164.tif 000003
【図２】
2006024164.tif 000004
(57)【要約】      （修正有）【課題】リナックスＯＳなどユニックスＯＳ及びそれらを基盤に派生したＯＳのインストール作業と、コンピュータ機器及びコンピュータを使用した電化製品全般がある目的を持って稼動するまでの時間とを短縮し、それらＯＳの知識を有さずとも、コンピュータ機器及びコンピュータを使用した電化製品全般がある目的を持って稼動させることを可能にする。【解決手段】パーティションごと圧縮したＯＳファイルの自動解凍をインストール方法とすることと、ＯＳをインストールしたその機器がある目的をもって作動するための設定ファイル、プログラム、スクリプトもまた自動解凍で、記述されることとを特徴とする。【選択図】なし【特許請求の範囲】
【請求項１】
ハードディスク内に、必要なパーティション（領域）を作成し、パーティションごと圧縮したオペレーションシステム（ＯＳ）、アプリケーション、及びプログラムファイルが自動解凍されることにより、それぞれが適切なパーティションに記述され、オペレーションシステム、アプリケーション、及びプログラムのインストールを、パーティションの指定を入力設定、選択設定等なしに行うか、もしくは簡便化される方法。
【請求項２】
コンピュータ機器やコンピュータを搭載した電化製品などにおいて、ある目的の動作のための、また、その動作の設定を行うためのプログラム、スクリプト、ファイルなどを自動解凍し、それらが適切なパーティション内に記述されることにより、ある目的の動作の設定が自動化もしくは簡便化される方法。
【請求項３】
リナックスＯＳなどユニックスＯＳ及びそれらを基盤に派生したＯＳを請求項１の方法で搭載していること、またはある目的の動作の設定を請求項２の方法で行ったことのうち、少なくとも一方を使用したことを特徴とするコンピュータ機器や電化製品全般。
【請求項４】
請求項１に記載の方法で、コンピュータや、電化製品のコンピュータ部分にインストールが可能となる記録媒体。
【発明の詳細な説明】
【技術分野】
【０００１】本発明は、リナックスＯＳなどユニックスＯＳを基盤に派生したＯＳのインストール方法、また、そのＯＳ上で、ある目的をもってコンピュータ機器及びコンピュータを搭載した電化製品一般を稼動させるための設定方法、並びにそれらの記録媒体に関する。
【背景技術】
【０００２】従来、リナックスＯＳなどユニックスＯＳを基盤に派生したＯＳのインストールを自動化し、そのあとさらに、ある目的をもってコンピュータ機器及びコンピュータを搭載した電化製品一般を稼動させるための自動設定方法をひとつの記録媒体から連続して行えるものはなく、ある目的の稼動までに時間と手間とＯＳの知識が必要とされた。【０００３】従来、リナックスＯＳなどユニックスＯＳを基盤に派生したＯＳ上で、各種サーバとして稼動させるなど、ある目的をもってコンピュータ機器及びコンピュータを搭載した電化製品一般を稼動させるための設定方法を自動化したものはなく、ある目的の稼動までに時間と手間とＯＳの知識が必要とされた。
【発明の開示】
【発明が解決しようとする課題】
【０００４】本発明は、上述の従来技術の欠点を克服したものであり、その目的とするところは、パーティションの概念など、リナックスＯＳなどユニックスＯＳを基盤に派生したＯＳの知識がなくとも、各種サーバとして稼動させるなど、ある目的をもってコンピュータ機器及びコンピュータを搭載した電化製品一般を稼動させるためのインストール方法、記録媒体を提供すると同時に、それにかかる時間と作業の手間を省くことにある。
【課題を解決するための手段】
【０００５】前述の課題を解決するために、本発明にかかるインストール処理装置は、ある目的をもってコンピュータ機器及びコンピュータを搭載した電化製品一般を稼動させるために、自動的にパーティションを作るシステムと、圧縮したＯＳファイル、設定ファイル、プログラム、スクリプトなどを自動的に解凍されるシステムを採用したことを特徴とする。【０００６】また、本発明を別の観点から捉えれば、ある目的に特化したコンピュータ機器を稼動させる際、ＯＳのうち、その目的の必要な部分のみをパーティションごと圧縮し、インストール用記録媒体をつくればよいため、それをインストールしたコンピュータ機器は、少ない容量のＯＳで稼動し、余計なシステムが混入していないので、その機器のシステムは安定性が高いものとなる。
【発明の効果】
【０００７】以上説明したように、本発明によれば、
【背景技術】
【０００２】
【０００３】で述べた従来技術の欠点が克服される。とりわけ、各種サーバとして稼動させるなど、ある目的をもってコンピュータ機器及びコンピュータを搭載した電化製品一般を稼動させることの作業時間の短縮は顕著である。
(57)【要約】      （修正有）【課題】  貴重品・子供等を持ち歩く際、置忘れ・はぐれ・紛失等防止する装置。【解決手段】  ２台又は、複数の電池式電子タグ信号機と１台若しくは複数の警報機で構成される。貴重品に取付けた電池式電子タグ信号機と身に付け電池式電子タグ信号機は距離が近い状態では、反応せず距離が離れると身に付け電池式電子タグ信号機が紛失したと判断し、報知手段によって警告する事により紛失及び盗難を防止する装置。電池式電子タグと警報機は、一体機若しくは分離されたものである。【選択図】なし【特許請求の範囲】
【請求項１】
貴重品に取付けた電池式電子タグ信号機と身に付け電池式電子タグ信号機は距離が近い状態では、反応せず距離が離れると身に付け電池式電子タグ信号機が紛失したと判断し、報知手段によって警告する方法。
【発明の詳細な説明】
【発明の詳細な説明】
【０００１】  本発明は、貴重品・子供等を持ち歩く最、置忘れ・はぐれ・紛失等防止する装置で２台又は、複数の電池式電子タグ信号機と１台若しくは、複数機と連動してつながった警報機で構成されている。
【０００２】  貴重品・子供に取付けた電池式電子タグ信号機と身に付け電池式電子タグ信号機の１台又は複数警報機１台又は複数で構成されている。
【０００３】  電池式電子タグ信号機は、距離によって信号を発生させるが、距離については基本的には、５０ｃｍ〜３ｍで使用するが任意で距離は設定するものとする。
【０００４】  電池式電子タグ信号機は距離が近い状態では、反応せず距離が離れると身に付け電池式電子タグ信号機が紛失したと判断し、警報機（報知手段）によって警告するが警報機については１台若しくは複数使用するもとする。
【０００５】  電池式電子タグ信号機と警報機は、一体機若しくは分離された物で、分離された警報機は電源コードを電池式電子タグ信号機から取り込み報知することが出来る。
【０００６】  従来は、紐・紛失防止用コード・携帯電話による紛失防止装置などがある。
【０００８】  本発明は、貴重品に取付けた電池式電子タグ信号機と身に付け電池式電子タグ信号機は距離が近い状態では、反応せず距離が離れると身に付け電池式電子タグ信号機が紛失したと判断し、報知手段によって警告する事により紛失及び盗難を防止する装置。
(57)【要約】【課題】硬化過程における組成の不均一性を回避し、強度のばらつきをの少ないマグネシアセメント硬化物が製造されるマグネシアセメント組成物を提供する。【解決手段】塩化マグネシウム（ＭｇＣｌ２）、酸化マグネシウム（ＭｇＯ）、水（Ｈ２Ｏ）が重量比で１：（２．０〜２．２）：（２．０〜２．５）で配合される。この組成比は、最終的にこの範囲に入っていればよく、従ってその原料は特に限定されない。すなわち、塩化マグネシウムは無水のものでも、あるいは６水和物でもよく、酸化マグネシウムの代わりに水酸化マグネシウムを用いてもよい。【選択図】なし【特許請求の範囲】
【請求項１】
塩化マグネシウム（ＭｇＣｌ２）、酸化マグネシウム（ＭｇＯ）、水（Ｈ２Ｏ）が重量比１：（２．０〜２．２）：（２．０〜２．５）で配合されてなることを特徴とするマグネシアセメント組成物。
【発明の詳細な説明】
【技術分野】
【０００１】
本発明は、マグネシアセメント組成物、特に均一な組成の硬化物が製造されるマグネシアセメント組成物に関するものである。
【背景技術】
【０００２】
セメントは、土木建設業におけるコンクリートやモルタルの主原料として広く用いられており、現在ではその用途に応じて数多くの種類のセメントが開発されている。その最も代表的なセメントは、ポルトランドセメントであり、石灰石、粘土、けい石、鉄原料、石こうを原料としている。
【０００３】
一方、酸化マグネシウムと塩化マグネシウムを基本成分としたマグネシアセメントもよく知られ、ポルトランドセメントと比較される形で古くから用いられてきた。しかし、最近では、砥石の結合材など極く一部の用途に用いられるのみとなってきた。マグネシアセメントは、ポルトランドセメントと比較して、強度が強く、他の物質との接着性が強く、抗菌性で黴が生えない、色が白いことから着色が容易で美観に優れるなどの特徴を有して壁材や床材に好まれる向きもある。さらに、マグネシアセメント硬化物は、高温に加熱されると分解し、分解物は自然に存在するものであるので、環境破壊することなく自然に戻せるという利点もある。
【０００４】
マグネシアセメントは、原料となる塩化マグネシウムの水溶液を製造し、これに酸化マグネシウム（マグネシア）を混合してスラリー状にし、型枠に流し込んで硬化させる。この時の硬化は、ほぼ２０時間でかなりの強度が得られ、それ以降さらに長時間かけて硬化が進行することになる。この硬化の過程で、反応による発熱があり、容積変化が生じ、部分的な組成の不均一が生じて、強度が低くなる他、亀裂、「そり」が生じることがある。
【０００５】
マグネシアセメントの製造は、古い歴史があるが、最近ではスラリーの混練過程を、特定の温度範囲に制御して行い、温度上昇による爆裂の危険性がなく、均一な組成を有し、寸法安定性に優れたマグネシアセメント硬化物とする方法〔特許文献１参照〕、マグネシウムケイ酸塩を配合して硬化を促進する方法〔特許文献２参照〕などの改善提案がなされている。また、マグネシアセメント硬化物の物性面からは、アルミナセメントを配合しての防火性改良〔特許文献３参照〕、金属酸化物と燐酸塩を配合しての耐水性と防火性の向上〔特許文献４参照〕などの提案がある。
【０００６】
【特許文献１】特開平０９−０４８０２２号公報
【特許文献２】特開平０９−１４２９１４号公報
【特許文献３】特公平２−４２７８５号公報
【特許文献４】特開平０７−２２３８５６号公報
【発明の開示】
【発明が解決しようとする課題】
【０００７】
以上の事情に鑑み、本発明の目的は、硬化過程における組成の不均一性を回避し、強度が高いマグネシアセメント硬化物が製造されるマグネシアセメント組成物を提供することにある。
【課題を解決するための手段】
【０００８】
上記目的を達成すべく、本発明のマグネシアセメント組成物は、塩化マグネシウム（ＭｇＣｌ２）、酸化マグネシウム（ＭｇＯ）、水（Ｈ２Ｏ）が重量比１：（２．０〜２．２）：（２．０〜２．５）で配合されている。
【発明の効果】
【０００９】
本発明によるマグネシアセメント組成物は、その硬化物の機械強度に優れ、土木用及び建材用として適している。
【発明を実施するための最良の形態】
【００１０】
本発明のマグネシアセメント組成物は、塩化マグネシウム（ＭｇＣｌ２）、酸化マグネシウム（ＭｇＯ）、水（Ｈ２Ｏ）を、重量比で１：（２．０〜２．２）：（２．０〜２．５）とすることに特徴がある。
【００１１】
マグネシアセメント組成物は、各成分が最終的に上記の範囲に入っていればよく、従ってその原料は特に限定されるものではない。例えば、塩化マグネシウムは、無水のものでもよく、あるいは水和物を用いてもよい。実用的には、入手し易く、かつ価格の安い塩化マグネシウム・６水和物（ＭｇＣｌ２  ・６Ｈ２Ｏ）が選ばれることが多い。このような水和物、あるいは付着水のあるものは、水分量を求めて無水塩化マグネシウムに換算し、最終マグネシアセメント組成物の組成に反映させればよい。同様に、酸化マグネシウムは、水酸化マグネシウムであってもよく、含水のものでもよく、酸化マグネシウム換算量、及び水の量を求めて最終的に量のバランスを調整すればよい。
【００１２】
マグネシアセメント組成物の製造は、塩化マグネシウム、酸化マグネシウム、水、あるいはこれらの相当物を、最終的に上記重量比になるように混合し、混練すればよい。混練は、セメントミキサーなどを用いて通常のセメントと同様に行う。混練を続けると、混合物はチクソトロピー性を有するようになる。
【実施例】
【００１３】
［硬化物の調製］
塩化マグネシウム六水和物〔仁尾興産（株）製〕を水〔水道水〕に入れて攪拌し、この中に酸化マグネシウム〔協和化学工業（株）製〕を加えて、セメントミキサーで混練した。各成分の混合比を表１に示す。このスラリーを木枠（４０×４０×１６０ｍｍ）に注型し、温度２０℃／湿度５０％で１６時間硬化養生し、さらに脱型後１４日間室温に放置した。
【００１４】
［評価試験］
曲げ試験機〔（株）丸東製作所製、「ミハエリス曲げ抗折試験機」（商品名）〕を用い、ＪＩＳＲ５２０１に準じて曲げ試験を行った。
【００１５】
［結果］
結果を表１に示す。
【表１】
2006182607.tif 000002
【００１６】
この結果から、塩化マグネシウム、酸化マグネシウム、水の構成比が本発明の範囲の内にあるものは、曲げ強度が高くなった。これは、この範囲の組成では硬化物の均一性が向上し、組成の不均一により起こる境界部での破壊がないことから曲げ強度が高くなったと推察される。
【産業上の利用可能性】
【００１７】
本発明により強度の高いマグネシアセメント硬化物が得られ、マグネシアセメントの特性を生かした用途が拡がる。
(57)【要約】      （修正有）【課題】すべての船外機,エンジンに簡単に取り付けられスロットルの自動、遠隔制御ができ、スロットルの自動、遠隔制御から手動への切り替えを、取り外したり、又はクラッチ等のメカニカル動力伝達切り替え装置を用いることなく可能にする。【解決手段】ストローク制御可能な直線運動のシリンダー４と直線運動を回転運動に変換する部品により、手でスロットル３を操作するのと同じ環境を提供し、シリンダーをアームに固定する金具７、直線運動を回転運動に変換する部品６をスロットルレバーに固定する金具をアジャスト可能にすることですべての船外機１に対応し、自動、遠隔制御から手動への切り替えに特別な操作を必要としない構造とした。【選択図】図１
2006182073.tif 000002
【特許請求の範囲】
【請求項１】
自動で無段階に制御でき直線運動するシリンダーと直線運動を回転運動に変換させる部品とアジャスト可能な止め金具を用いることですべての回転式船外機、エンジンスロットルを一種類の装置で自動、遠隔制御可能としたスロットル制御装置。
【請求項２】
請求項1の船外機、エンジンスロットル制御装置で自動と手動の切り替えを、装置を取り外し、又はクラッチ等のメカニカル動力伝達切り替え装置を用いることなく可能にした直線運動から回転運動への変換部品。
【発明の詳細な説明】
【技術分野】
【０００１】
本発明は船外機、エンジンの回転式スロットルの自動制御、遠隔制御にかかわるものである。
【背景技術】
【０００２】
従来の船外機、エンジンスロットル遠隔制御装置はエンジンメーカーが提供し、限られた機種にしか採用されていない。
【発明の開示】
【発明が解決しようとする課題】
【０００３】
従来用いられている船外機用スロットル遠隔制御装置は専用機で他の船外機への転用はできない。
【０００４】
従来用いられている船外機用スロットル遠隔制御装置はメーカーが提供する専用機で高価である。
【０００５】
本発明は上述の点に鑑みてなされたもので、取り付けが簡便で、１機種ですべての船外機、エンジンのスロットル制御を可能にし、安価に提供することを特徴とする。
【課題を解決するための手段】
【０００６】
ストローク制御可能な直線運動のシリンダーと直線運動を回転運動に変換する部品により、手でスロットルを操作するのと同じ環境を提供する。
【０００７】
シリンダーをアームに固定する金具をアジャストできる構造とし、また直線運動を回転運動に変換する部品をスロットルレバーに固定する金具もアジャスト可能にすることですべての船外機、エンジンに対応できる。
【０００８】
直線運動を回転運動に変換する部品に手動用逃げ溝を設けることでスロットルの自動、遠隔制御から手動への切り替えを、取り外したり、又はクラッチ等のメカニカル動力伝達切り替え装置を用いることなく可能にする。
【発明の効果】
【０００９】
船外機、エンジンへの加工を必要とせず、すべての機種へ簡便に取り付けることができる。
【００１０】
単純な構造にすることで量産によるコストの低減が可能である。
【００１１】
スロットルの自動、遠隔制御から手動への切り替えを、取り外したり、又はクラッチ等のメカニカル動力伝達切り替え装置を用いることなく可能にすることにより煩雑な操作を必要とせず、同時に構造の簡素化を達成した。
【発明を実施するための最良の形態】
【００１２】
すべての船外機、エンジンに簡単に取り付けられスロットルの自動、遠隔制御ができ、また自動、遠隔制御から手動への切り替えに特別な操作を必要としない。
【実施例】
【００１３】
図1は本発明の代表的船外機での組み立て図で、５メカシリンダーを2アームへ固定し、６直線運動回転運動変換部を3スロットレバーに固定する。
【００１４】
固定する際図２の９溝スライダー爪が図３の10手動時逃げ溝と11直線運動回転運動変換溝との交差部にあわせる。
【００１５】
図２の９溝スライダー爪が図３の11直線運動回転運動変換溝を直線運動することでそのストロークに応じ、図２の３スロットルレバーを回転させスロットルを制御する。
【００１６】
スロットルの自動、遠隔制御を解除した際、図２の９溝スライダー爪を図３の10手動時逃げ溝と11直線運動回転運動変換溝との交差部へ自動、遠隔制御ソフトウエアーにより強制的に戻すため、手動で操作しても図２の９溝スライダー爪は図３の10手動時逃げ溝内にあり手動操作の妨げにならない。
【産業上の利用可能性】
【００１７】
すべての船外機、エンジンに簡単に取り付けられスロットルの自動、遠隔制御ができ簡単な構造とすることでコストの低減を図ることができる。
【図面の簡単な説明】
【００１８】
【図１】本発明の船外機への組み立て図である。
【図２】メカシリンダーのアームへの取り付け及び詳細図である
【図３】直線運動回転運動変換部のスロットルレバーへの取り付け及び詳細図である。
【符号の説明】
【００１９】
１． 船外機
２． 船外機アーム
３． スロットルレバー
４． メカシリンダー
５． メカシリンダーカバー
６． 直線運動回転運動変換部
７． メカシリンダー固定金具 
８． ロット先端ネジ部
９． 溝スライダー爪
１０．手動時逃げ溝 
１１．直線運動回転運動変換溝
１２．スロットルレバー固定金具
【図１】
2006182073.tif 000003
【図２】
2006182073.tif 000004
【図３】
2006182073.tif 000005
(57)【要約】【課題】本発明は長い経文（１２０行８４０文字、１行７文字）の書写を細かく分割書写することによってムダな用紙を使うことなく、楽に、自由に難解な経文の意味を理解しながら書写することができ、それに日記・メモも記することができ、書写後のファイルをも容易にする。【解決手段】本発明が提供する経文の分割書写兼日記用紙は、Ａ４判の用紙に長手方向中心部の折り曲げ線１を設け、これを中心にして、  短手方向上段に左右一対の経文書写欄２、２、下段に日記記載欄３、３を設け、かつ欄２は罫線によって縦４行の記載欄に分画されていることを特徴とするものである。【選択図】  図１
2006182001.tif 000002
【特許請求の範囲】
【請求項１】
Ａ４判の用紙に、長手方向中心部の折り曲げ線１を設け、これを中心にして、短手方向上段に左右一対の経文書写欄２、２、下段に日記記載欄３、３を設け、かつ欄２は罫線によって縦４行の記載欄に分画されていることを特徴とする経文の分割書写兼日記用紙。
【発明の詳細な説明】
【技術分野】
【０００１】本発明は経文の分割書写兼日記用紙に関するものである。
【背景技術】
【０００２】経文（例正信偈全文）は１２０行８４０文字（１行７文字）ある。従来はこの経文をサイズの大きな一枚の用紙に連続して書写していた。従って一枚を書写完成するのに大変時間がかかり、誤りがでると途中で、又始めから書写しなおすことになり、用紙のムダがでる。経文（例正信偈）の意味の理解ができないまま書写する。その他書写後の保管、持ち運びがしずらい。
【発明の開示】
【発明が解決しようとする課題】
【０００３】本発明は、長い経文の書写を細かく分割書写することによってムダな用紙を使うことなく、楽に、自由に難解な経文の意味を理解しながら書写することができ、それに日記・メモも記することができ、書写後のファイルをも容易にしたものである。
【課題を解決するための手段】
【０００４】この課題を解決するため、  本発明が提供する経文の分割書写兼日記用紙は、Ａ４判の用紙に長手方向中心部の折り曲げ線１を設け、  これを中心にして、短手方向上段に左右一対の経文書写欄２、２、下段に日記記載欄３、３を設け、かつ欄２は罫線によって縦４行の記載欄に分画されていることを特徴とするものである。
【発明を実施するための最良の形態】
【０００５】図１は、実施例の経文の分割書写兼日記用紙である。
図において、ＰはＡ４判の用紙である。  １は長手方向中心部の折り曲げ線である。２は短手方向上段に設けた左右一対の経文書写欄である。３は短手方向下段に設けた左右一対の日記記載欄である。経文書写欄は１枚８行（１行７文字）５６文字、日記記載欄は１枚８行の欄となっている。
図２は上欄に経文（例正信偈）のしたがきの印刷、下欄に現代語訳が印刷された見本用紙である。書写は、この用紙を見ながら行う。
【発明の効果】
【０００６】本発明によれば、経文（例正信偈）の書写が楽に簡単にでき、誤写の時には最小限で書き直しできるためムダが少なく、難解経文（例正信偈）の現代語訳でその意味を良く理解しながら書写することができる。又書写後の用紙は、折り曲げ線１で折り曲げて、綴じ穴を開けることによってファイルできるため持ち運びが容易となる。
【図面の簡単な説明】
【０００７】
【図１】実施例の経文の書写兼日記用紙の平面図
【図２】書写の見本となる印刷済み経文（上段）と印刷済み経文の現代語訳（下段）を記載した見本用紙の平面図
【図１】
2006182001.tif 000003
【図２】
2006182001.tif 000004
(57)【要約】【課題】一般的に，カレンダ−を使用する際，カレンダ−の役割は，現在の該当する曜日の確認とこれから先の曜日の確認が主であり，過ぎ去った過去の曜日の確認はあまり必要としない。  このため，現在及び今後の曜日の表示を重視し，できるだけ過去の曜日の表示を廃した週めくりのカレンダ−が必要である。【解決手段】次のような週めくりのカレンダ−を提供する。（１）１年分の曜日を分割し，毎週１枚合計５３枚のカレンダ−により構成する週めくりカレンダ−とする。（２）１月分のカレンダ−の最初の行に，当該１週間分の曜日を表示するとともに，以下の行に連続する４週間分の曜日を表示する。（３）毎週，カレンダ−が更新され，１週間ずれたカレンダ−となるため，たえず，新たに１週間分の曜日が加わり，このため，途切れることなく連続した曜日を確認することができる。（４）過ぎた週の曜日の表示がなくなるので，すっきり見やすいカレンダ−となる。【選択図】なし【特許請求の範囲】
【請求項１】
１月分のカレンダ−の最初の行に，当該１週間分の曜日を表示し，次に，以下の行には，連続する４週間分の曜日を表示したカレンダ−で，（１）１年分の曜日を分割し，毎週１枚合計５３枚の週めくりカレンダ−により構成する。（２）毎週，当該週めくりカレンダ−をめくることにより，該当する週が，たえず，カレンダ−の最初の行に表示されるとともに，向こう１か月の曜日を表示する。（３）毎週，当該週めくりカレンダ−をめくることにより，最後の行に，新たに，次の週の曜日を表示し，１週間ずつずれたカレンダ−とする。  以上のような構成からなる，途切れることなく連続した週めくりカレンダ−。
【発明の詳細な説明】
【技術分野】
【０００１】  この発明は，従来の月間表示カレンダ−を周間表示カレンダ−とするもので，１月分のカレンダ−の最初の行に，当該１週間分の曜日を表示するとともに，以下に連続する４週間分の曜日を表示したカレンダ−であり，たえず，新たに１週間分の曜日が加わり，このため，途切れることなく連続した曜日が確認できる週めくりカレンダ−である。
【背景技術】
【０００２】  従来，カレンダ−には，月間表示カレンダ−，週めくりカレンダ−，日めくりカレンダ−はあったが，いずれも，当該月，週及び日のみの表示しかされていないものが多かった。
【発明が解決しようとする課題】
【０００３】  これは，次のような問題点があった。  （１）月間表示カレンダ−の場合，次の月の曜日を確認するためには，カレンダ−をめくってみなければならなかった。  （２）月間表示カレンダ−の場合，月の後半になるに従い，過去の曜日が表示されているため，該当する曜日を探しにくい面があった。  （３）週めくりカレンダ−や日めくりカレンダ−の場合，該当する週や日のことしかわからなかった。  本発明は，以上のような欠点をなくすためになされたものである。
【課題を解決するための手段】
【０００４】  カレンダ−の役割は，該当する曜日の確認とこれから先の曜日の確認が主であり，過ぎ去った過去の曜日の確認はあまり必要としない。  このため，現在及び今後の曜日の表示を重視し，できるだけ過去の曜日の表示を廃したものとするため，当該１週間分の曜日を表示し，次に，（１）１年分の曜日を分割し，毎週１枚合計５３枚のカレンダ−により構成する週めくりカレンダ−とする。（２）１月分のカレンダ−の最初の行に，当該１週間分の曜日を表示するとともに，以下に連続する４週間分の曜日を表示する。（３）毎週，カレンダ−が更新され，１週間ずれたカレンダ−となるため，たえず，新たに１週間分の曜日が加わり，途切れることなく連続した曜日を確認することができる。（４）過ぎた週の表示がなくなるので，すっきり見やすいカレンダ−となる。
【発明を実施するための最良の形態】
【０００５】  以下，発明を実施するための最良の形態について説明する（１）利用者が，利用しやすいよう，５３枚のカレンダ−をリング等を使用して束ね，週めくりカレンダ−とする。（２）壁掛け用の器具を設けて，壁等につるしたり，立て掛け用の支脚部を設けてスタンドにする。
【発明の効果】
【０００６】  カレンダ−の役割は，現在の該当する曜日の確認とこれから先の曜日の確認が主であり，過ぎ去った過去の曜日の確認はあまり必要としない。  このため，できるだけ，過去の曜日の表示を廃し，今後の曜日の表示を重視したカレンダ−とするため，当該１週間分の曜日を表示し，次に，（１）１年分の曜日を分割し，毎週１枚合計５３枚のカレンダ−により構成する週めくりカレンダ−とする。（２）１月分のカレンダ−の最初の行に，当該１週間分の曜日を表示するとともに，以下に連続する４週間分の曜日を表示する。（３）毎週，カレンダ−が更新され，１週間ずれたカレンダ−となるためたえず，新たに１週間分の曜日が加わり，このため，途切れることなく連続した曜日を確認することができる。（４）過ぎた週の曜日の表示がなくなるので，すっきり見やすいカレンダ−となる。
(57)【要約】【課題】既存の、車載用ごみ箱保持器具では、保持力が弱く、車の走行振動によって、容器本体が転倒する。【解決手段】固定部材を２本、約９０度の角度で装置し、本発明品を車両の絨毯等に取り付ける。または、本体の下部に装置した、安全ピン状の留具で、絨毯に固定する。【選択図】  図２
2006182337.tif 000002
【特許請求の範囲】
【請求項１】
上部が開放され、底板と側壁を有する、略長方形または略円形の、ごみ箱等の保持器具において、下記のいずれかの特徴を有する、ごみ箱保持器具。ごみ箱等の保持器具とは、主として車両の車室内で使用されるもので、特許出願２００４−３２９７５４に記載の構成等を指す。
１、底部の近傍に、錘を装置し、車両の走行振動による転倒を防止する。
２、底部または側壁に、磁石を装置し、車両の金属部分に取りつける。
３、底部に安全ピンまたは、これに類する針状部材を装置し、車両の絨毯等に取りつける。
４、底部に、マジックテープまたは両面テープを装置し、車両または、車両に設置された絨毯等に貼り付ける。
５、特許出願２００４−３２９７５４の、請求項２または３に記載された容器固定部材を、２本以上装置し、絨毯等に取り付ける。
６、特許出願２００４−３２９７５４の、請求項２または３に記載された容器固定部材を２本設け、その２本は、約９０度の角度をもって装置する。
７、底部または側壁に、紐状部材を装置し、車両の一部に縛り付ける事により、固定する。
８、底部または側壁に、スプリングを内蔵した突っ張り棒を装置し、車室の内壁等に突っ張る事で、固定する。
９、底部に、粗面を設ける、または、細かいカギ状の突起を複数設ける構成により、車室内の絨毯に絡ませて、固定する。
【請求項２】
上部が開放され、底板と側壁を有する、略長方形または略円形の、ごみ箱等の保持器具において、容器固定部材が、下記のいずれかの特徴を有する、ごみ箱保持器具。ごみ箱等の保持器具とは、主として車両の車室内で使用されるもので、特許出願２００４−３２９７５４に記載の構成等を指す。
１、特許出願２００４−３２９７５４の、請求項２または３に記載された容器固定部材に、磁石、安全ピン、マジックテープ、両面テープ、紐状部材、突っ張り棒などを装置し、容器固定部材だけを車両に固定可能に構成した。
２、特許出願２００４−３２９７５４の、請求項２または３に記載された容器固定部材に、錘を装置した。
３、容器固定部材に、安全ピンまたは針状の部材を設け、車両の絨毯等の下に装置し、その安全ピンまたは針状部材を絨毯に突き通し、容器本体を固定する。
【発明の詳細な説明】
【技術分野】
【０００１】本発明は、主として乗用車などに搭載するごみ箱などが、走行中の振動で転倒する事を防止し、着脱自在に保持する器具に関する。
【背景技術】
【０００２】車両に搭載し、固定する目的で作られたごみ箱は存在するが、ごみ箱を保持する器具は特許出願２００４−３２９７５４だけである。
【発明の開示】
【発明が解決しようとしている課題】
【０００３】既存の、車載用ごみ箱では、車両に固定する為、走行中の振動で転倒する事は無いが、溜まったごみを捨てる際、取り外しに手間がかかる。また、家庭用のごみ箱を乗用車に搭載すると、走行中の振動で転倒してしまう。
特許出願２００４−３２９７５４は、上記の課題を解決するべく考案された発明であるが、車に取り付ける方法が限られており、汎用性に問題が有った。
【課題を解決する為の手段】
【０００４】本発明品を、固定部材を使って乗用車の床上に備えられたカーペット（絨毯）に取り付けておき、ごみ箱は、本発明品の上部に挿入して保持する。
その際、固定部材を複数装置する方法や、針、マジックテープ、紐状部材などを装置する構成により、多種多用な車両すべてに、本発明品を着脱自在に固定する事ができる。また、本発明品の容器本体に、錘を装置する事で、振動による転倒を防止する。
【発明の効果】
【０００５】非常に利便性の高い発明である、特許出願２００４−３２９７５４が、車種を問わず、使用する事が可能となる。
【発明を実施するための最良の形態】
【０００６】特許出願２００４−３２９７５４の容器本体下部に、安全ピン、針状部材、マジックテープなどの、着脱自在な固定装置を取り付ける。この固定装置で、車両の絨毯等に固定する。
また、特許出願２００４−３２９７５４の容器固定部材に、上記の着脱自在な固定装置を設ける事で、車両の絨毯等に固定する。
容器固定部材を、２本設ければ、さらに固定力が上がり、安定性が増す。
【実施例】
【０００７】図１は、本発明品の縦断面図を表し、特許出願２００４−３２９７５４と同等の構造である。
本発明品の容器本体１の底部に、錘２を装置する事で、安定性が増し、車両の走行による振動を受けても、転倒しにくくなる。６は、本発明品内に固定した、ごみ箱である。
図２は、容器本体１の底部裏側に、安全ピン状の留具３を装置した構成である。自動車の車室内に装備されている絨毯に、この留具３の針を刺して固定すれば、容器本体１は、車両の走行振動を受けても転倒しない。また、留具３の替わりに、マジックテープや両面テープなどを装置しても、同様の機能が得られる。
図３は、特許出願２００４−３２９７５４に記載のヘアピン状の固定部材を、２本装置した状態の、下面図である。固定部材４を、図の様に約９０度の向きで２本装置すれば、自動車の車室内に装置された絨毯の、角の部分に容器本体１を固定する際、安定性が増す。
以上が、請求項１の実施例である。【０００８】図４は、請求項２の実施例を表す。ヘアピン状の固定部材５の下部に、安全ピン状の留具７を装置する。この構成により、固定部材５だけを留具５を使って絨毯に固定しておき、容器本体１は、自在に着脱する事が可能となる。以上が請求項２の実施例である。
【産業上の利用可能性】
【０００９】本発明によれば、自家用車などの振動が有る場所でも、ごみ箱を安定的に保持する事が可能で、ごみを捨てる際にも着脱自在となり、極めて利便性が高い。
【図面の簡単な説明】
【００１０】
【図１】      請求項１の、縦断面図であり、磁石を装置した実施例である。
【図２】      請求項１の、縦断面図であり、安全ピンを装置した実施例である。
【図３】      請求項１の、下面図であり、容器固定部材を２本装置した実施例である。
【図４】      請求項２の、側面図であり、安全ピンを装置した実施例である。
【符号の説明】
【００１１】        １、本発明の、容器本体
２、磁石
３、安全ピン状の、留具
４、容器固定部材
５、容器固定部材
６、本体に挿入して保持された、ごみ箱
７、安全ピン状の、留具
【図１】
2006182337.tif 000003
【図２】
2006182337.tif 000004
【図３】
2006182337.tif 000005
【図４】
2006182337.tif 000006
(57)【要約】【課題】自動二輪運搬に用いる車両運搬車の構造は、荷台フックのみまたは，荷台フックをシートで覆ったものであり、悪天候時車輌に傷をつけ、また荷台フックをシートで覆った車輌運搬車の場合は、固縛の際にシートを外さなければならず容易に固縛ができなかった。【解決手段】車両本体ａ０にパネルを取り付ける。ジャッキは荷台に取り付けられスライド式である。スライドさせることにより、固縛が容易になり、またパネルを荷台に固定することにより、外界と空間を持って固定されるため、車輌運搬時に道路脇の枝等の障害物で運搬車輌を損傷させることなく運搬が可能になる。【選択図】図１
2006182336.tif 000002
【特許請求の範囲】
【請求項１】
荷台左右にパネルを取り付けたことを特徴とする自動二輪二段式車両運搬車。
【請求項２】
前記パネルは上下にスライド式になっている。スライド式のため、開閉に幅を取らない。よって、道幅の狭い道路、電柱のすぐ脇等、自動二輪車の固縛の際に十分幅が確保できない場所でも容易に車両の固縛が可能になった請求項１記載の自動二輪二段式車両運搬車。
【請求項３】
前記パネルにより雨、風等の悪天候時および道路脇の枝等の障害物でも運搬する自動二輪車に傷をつけることなく車輌の運搬が可能になった請求項１記載の自動二輪二段式車両運搬車。
【発明の詳細な説明】
【技術分野】
【０００１】  この発明は、車両運搬に用いる車両運搬車の構造に関する。
【背景技術】
【０００２】  従来の車両運搬に用いる車両運搬車の構造は、図２に示すように、荷台フックのみまたは荷台フックにシートを覆わせたものであった。
【発明の開示】
【発明が解決しようとする課題】
【０００３】しかしながら、以上の技術によれば、雨、風等の悪天候時に風雨にさらされたり、または風でシートが車輌に当たったり、道路脇の枝等の障害物で運搬車輌に傷をつけてしまう。シートで覆っている場合は固縛の際、シートを外す必要があり手間を必要とした。これを回避する構造を提供することを課題とする。
【課題を解決するための手段】
【０００４】  以上の課題を解決するために、第一発明は、荷台左右にスライド式のパネルを取り付けたことを特徴とする車両運搬車である。
また、第二発明は、荷台左右にスライド式のパネルを取り付けたことにより、固縛が容易になることを特徴とする車両運搬車である。
第三発明は、荷台左右にパネルを取り付けたことにより、悪天候時や道路脇の枝等の障害物等でも運搬車輌に傷をつけずに運搬できることを特徴とする車輌運搬車である。
【発明の効果】
【０００５】  第一発明、または第二発明によれば、パネルがスライドするため、下段の積み込み車両を固縛する際にはパネルを上側に、上段の積み込み車輌を固縛する際にはパネルを下側にスライドさせることにより、車輌の固縛が容易になる。
第一発明、または第三発明によれば、パネルで荷台フックを覆っているため、雨、風等の悪天候時にも風雨にさらされることなく、更にパネルは直接車輌にあたることがないため道路脇の枝等の障害物で運搬車輌に傷をつけることなく運搬が可能になる。
【発明を実施するための最良の形態】
【０００６】  この発明の一実施形態を、図１に示す。
車両運搬車の本体ａ０の荷台左右には、パネルが取り付けられている。このパネルはスライド式である。【０００７】「実施形態の効果」
この実施形態によれば、パネルａ１はスライド式なので、固縛の際に図３のように上下どちらにでも移動が可能である。したがって、荷台フックに固縛する段の逆側にパネルをスライドさせてしまうことにより、固縛が容易になる。更にパネルを閉じた場合は、外界と運搬車輌は空間を隔てて固定されるため、悪天候時にも風雨にさらされることなく道路脇の枝等の障害物で傷もつかずに運搬が可能になる。【０００８】「他の実施形態」
【図面の簡単な説明】
【０００９】
【図１】この発明の一実施形態を示す側面図である。
【図２】従来技術を示す側面図である。
【図３】この発明の一実施形態を示す側面図である。
【図４】この発明の一実施形態を示す側面図である。
【符号の説明】
【００１０】ａ０  車両運搬車本体            ａ１  荷台のパネル
【図１】
2006182336.tif 000003
【図２】
2006182336.tif 000004
【図３】
2006182336.tif 000005
【図４】
2006182336.tif 000006
(57)【要約】【課題】車両運搬に用いる車両運搬車の構造は、道板の荷台に対する入射角が固定であり、最低地上高の低い車両は車両の前・後端部が道板にあたり、車両の損傷を伴わずには積み下ろしできない場合があった。【解決手段】車両本体ａ０にジャッキを取り付ける。ジャッキはスイッチによりジャッキアップの高さを可変にすることが可能である。ジャッキアップすることにより、積み板の荷台に対する入射角を決定するａ２の高さが低くなり、従来地上高の車両はもとより、今まで積み下ろしに損傷を伴っていた車両の積み下ろしが可能になる。【選択図】図１
2006182335.tif 000002
【特許請求の範囲】
【請求項１】
下段荷台前方にジャッキを取り付けたことを特徴とする車両運搬車。
【請求項２】
前記ジャッキを取り付けたことにより道板の荷台に対する入射角が小さくなり、通常地上高の車両はもとより車両の最低地上高が低い場合にも積み込み時の損傷等を防ぎ容易に車両の積み下ろしが可能になった請求項１記載の車両運搬車。
【発明の詳細な説明】
【技術分野】
【０００１】この発明は、車両運搬に用いる車両運搬車の構造に関する。
【背景技術】
【０００２】従来の車両運搬に用いる車両運搬車の構造は、図３に示すように、ａ２の高さは固定であり、ａ２の高さにより道板の荷台に対する入射角が固定で決まってしまう。
【発明の開示】
【発明が解決しようとする課題】
【０００３】しかしながら、以上の技術によれば、最低地上高の低い車両は積み下ろし時に積み込み車両の前端および後端部が道板または地面に、更にはマフラーの消音器等の車体下部が道板と車両運搬車の接続部ａ３に当たり、運搬車両の損傷が問題となっていた。これを回避する構造を提供することを課題とする。
【課題を解決するための手段】
【０００４】  以上の課題を解決するために、第一発明は、下段荷台前方部にジャッキを取り付けたことを特徴とする車両運搬車である。
また、第二発明は、下段荷台前方部にジャッキを取り付けたことにより、道板の荷台に対する入射角を小さくできることを特徴とする車両運搬車である。
【発明の効果】
【０００５】  第一発明、または第二発明によれば、道板の入射角が小さくなるので、積み込み車両の前端部および後端部が道板、地面に、マフラーの消音器等の車体下部は道板と車両運搬車の接続部ａ３に当たりづらく、車両の積み下ろしが容易になる。
【発明を実施するための最良の形態】
【０００６】  この発明の一実施形態を、図１に示す。
車両運搬車の本体ａ０の荷台前方部には、ジャッキが取り付けられている。このジャッキはスイッチによりジャッキアップの高さが可変である。【０００７】「実施形態の効果」
この実施形態によれば、ジャッキａ１の働きで、ジャッキアップした際に図２のように荷台が傾く。したがって、荷台後方部にかける道板の荷台に対する入射角が小さくなる。それにより、従来道板や地面、道板と車両運搬車の接続部ａ３に当たっていた最低地上高の低い車両の積み下ろしが容易に可能になる。通常地上高の車両も従来と比較し更に積み下ろし易くなる。【０００８】「他の実施形態」
図１の実施形態では、五台積みの車両運搬車であったが、他の実施形態としては、三台積みでも良い。
【図面の簡単な説明】
【０００９】
【図１】この発明の一実施形態を示す側面図である。
【図２】この発明の一実施形態を示す側面図である。
【図３】従来技術を示す側面図である。
【符号の説明】
【００１０】  ａ０  車両運搬車本体            ａ１  ジャッキ部
ａ２  道板の荷台に対する入射角を決定する高さ
ａ３  道板と車両運搬車の接続部
【図１】
2006182335.tif 000003
【図２】
2006182335.tif 000004
【図３】
2006182335.tif 000005
【図１】
2006182335.tif 000006
【図２】
2006182335.tif 000007
【図３】
2006182335.tif 000008
【手続補正書】
【提出日】平成17年3月17日(2005.3.17)
【手続補正１】
【補正対象書類名】図面
【補正対象項目名】全図
【補正方法】変更
【補正の内容】
【図１】
2006182335.tif 000009
【図２】
2006182335.tif 000010
【図３】
2006182335.tif 000011
【手続補正２】
【補正対象書類名】明細書
【補正対象項目名】０００９
【補正方法】変更
【補正の内容】
【０００９】
【図１】この発明のジャッキを取り付けた通常形態を示す側面図である。
【図２】この発明の実施形態を示す側面図である。
【図３】従来技術を示す側面図である。